(57)【要約】【課題】通信を利用したコンテンツ要求に対するユーザの満足度向上に寄与すること。【解決手段】通信端末から送信されるコンテンツ要求を検出する要求検出部２０と、通信端末にコンテンツ要求を中止させるユーザ操作を検出する中止検出部２２と、コンテンツ要求からユーザ操作までの時間である中止経過時間を記録する記録部２６と、記録部２６に記録された時間に基づいて、コンテンツ要求に対するユーザの許容待ち時間を推定する許容待ち時間推定部２８と、を備える。【選択図】図４
2011091620.tif 000002
【特許請求の範囲】
【請求項１】
通信端末を使用するユーザの状態を測定するユーザ状態測定装置であって、
前記通信端末から送信されるコンテンツ要求を検出する要求検出部と、
前記通信端末に前記コンテンツ要求を中止させるユーザ操作を検出する中止検出部と、
前記コンテンツ要求から前記ユーザ操作までの時間である中止経過時間を記録する記録部と、
前記記録部に記録された時間に基づいて、コンテンツ要求に対するユーザの許容待ち時間を推定する許容待ち時間推定部と、
を備えたことを特徴とするユーザ状態測定装置。
【請求項２】
前記記録部は、同じコンテンツ要求先又は同じコンテンツ種別のコンテンツ要求に係る一定時間内に発生する複数の中止経過時間を関連付けて記録する、
ことを特徴とする請求項１に記載のユーザ状態測定装置。
【請求項３】
前記コンテンツ要求の完了を検出する完了検出部を備え、
前記記録部は、前記コンテンツ要求から該完了までの時間である完了経過時間を記録する、
ことを特徴とする請求項１又は請求項２に記載のユーザ状態測定装置。
【請求項４】
前記記録部は、同じコンテンツ要求先又は同じコンテンツ種別のコンテンツ要求に係る一定時間内に発生する中止経過時間と完了経過時間を関連付けて記録する、
ことを特徴とする請求項３に記載のユーザ状態測定装置。
【請求項５】
前記通信端末を使用するユーザの音声を入力するためのマイクロホンと、
前記入力された音声信号を音声認識する音声認識部と、
特定のフレーズに対するユーザ満足度を記憶するフレーズデータ記憶部と、
前記音声認識されたフレーズに対応するユーザ満足度を前記フレーズデータ記憶部から読み出すユーザ満足度取得部と、
を備えたことを特徴とする請求項１から４のいずれか１項に記載のユーザ状態測定装置。
【請求項６】
ユーザ満足度を入力する満足度入力部と、
前記音声認識されたフレーズと前記入力されたユーザ満足度を関連付けて前記フレーズデータ記憶部に記憶させるフレーズ学習部と、
を備えたことを特徴とする請求項５に記載のユーザ状態測定装置。
【請求項７】
前記フレーズ学習部は、前記コンテンツ要求の前後で前記音声認識されたフレーズの差を検出し、前記コンテンツ要求の後で追加されたフレーズのみを前記フレーズデータ記憶部に記憶させる、
ことを特徴とする請求項６に記載のユーザ状態測定装置。
【請求項８】
ユーザの音声特徴量データを記憶する音声特徴量記憶部と、
前記音声特徴量記憶部の音声特徴量データに基づいて、前記入力された音声信号から前記音声認識部へ供給する音声信号を抽出するユーザ音声抽出部と、
を備えたことを特徴とする請求項５から７のいずれか１項に記載のユーザ状態測定装置。
【請求項９】
請求項１から８のいずれか１項に記載のユーザ状態測定装置と、
前記ユーザ状態測定装置により得られたユーザの許容待ち時間又は満足度に基づいて、コンテンツ要求の再送信を実行させる再要求起動部と、
を備えたことを特徴とする通信端末。
【請求項１０】
通信端末を使用するユーザの状態を測定するユーザ状態測定処理を行うためのコンピュータプログラムであって、
前記通信端末から送信されるコンテンツ要求を検出するステップと、
前記通信端末に前記コンテンツ要求を中止させるユーザ操作を検出するステップと、
前記コンテンツ要求から前記ユーザ操作までの時間を記録するステップと、
前記記録された時間に基づいて、コンテンツ要求に対するユーザの許容待ち時間を推定するステップと、
をコンピュータに実行させるためのコンピュータプログラム。
【発明の詳細な説明】
【技術分野】
【０００１】
本発明は、ユーザ状態測定装置、通信端末及びコンピュータプログラムに関する。
【背景技術】
【０００２】
従来、ユーザの満足度を測定する装置として、例えば特許文献１に記載の顧客満足度計測システムが知られている。特許文献１に記載の顧客満足度計測システムでは、顧客がコンテンツ（ビデオタイトルやゲーム用ソフトウェアなど）を利用中におけるコンテンツに対する顧客の操作の情報を用いて、顧客満足度を算出している。
【先行技術文献】
【特許文献】
【０００３】
【特許文献１】特開２０００−３０８０９４号公報
【発明の概要】
【発明が解決しようとする課題】
【０００４】
ユーザが、通信端末を使用して、例えば、インターネット上のウェブ（Ｗｅｂ）サイト等にアクセスし、提供されるコンテンツを利用する際に、コンテンツが利用可能となるまでに時間がかかり待たされることがある。このような場合、ユーザの満足度は低下すると考えられる。そこで、そのような状況下におけるユーザの状態を測定することにより、ユーザの満足度向上につなげることが望まれる。しかしながら、上述した従来の顧客満足度計測システムでは、コンテンツを利用中のユーザの満足度を測定することはできるが、コンテンツを要求してからコンテンツ利用可能となるまでの期間におけるユーザの満足度を測定することはできない。
【０００５】
本発明は、このような事情を考慮してなされたもので、通信を利用したコンテンツ要求に対するユーザの満足度向上に寄与することのできるユーザ状態測定装置、通信端末及びコンピュータプログラムを提供することを課題とする。
【課題を解決するための手段】
【０００６】
上記の課題を解決するために、本発明に係るユーザ状態測定装置は、通信端末を使用するユーザの状態を測定するユーザ状態測定装置であって、前記通信端末から送信されるコンテンツ要求を検出する要求検出部と、前記通信端末に前記コンテンツ要求を中止させるユーザ操作を検出する中止検出部と、前記コンテンツ要求から前記ユーザ操作までの時間である中止経過時間を記録する記録部と、前記記録部に記録された時間に基づいて、コンテンツ要求に対するユーザの許容待ち時間を推定する許容待ち時間推定部と、を備えたことを特徴とする。
【０００７】
本発明に係るユーザ状態測定装置において、前記記録部は、同じコンテンツ要求先又は同じコンテンツ種別のコンテンツ要求に係る一定時間内に発生する複数の中止経過時間を関連付けて記録する、ことを特徴とする。
【０００８】
本発明に係るユーザ状態測定装置において、前記コンテンツ要求の完了を検出する完了検出部を備え、前記記録部は、前記コンテンツ要求から該完了までの時間である完了経過時間を記録する、ことを特徴とする。
【０００９】
本発明に係るユーザ状態測定装置において、前記記録部は、同じコンテンツ要求先又は同じコンテンツ種別のコンテンツ要求に係る一定時間内に発生する中止経過時間と完了経過時間を関連付けて記録する、ことを特徴とする。
【００１０】
本発明に係るユーザ状態測定装置においては、前記通信端末を使用するユーザの音声を入力するためのマイクロホンと、前記入力された音声信号を音声認識する音声認識部と、特定のフレーズに対するユーザ満足度を記憶するフレーズデータ記憶部と、前記音声認識されたフレーズに対応するユーザ満足度を前記フレーズデータ記憶部から読み出すユーザ満足度取得部と、を備えたことを特徴とする。
【００１１】
本発明に係るユーザ状態測定装置においては、ユーザ満足度を入力する満足度入力部と、前記音声認識されたフレーズと前記入力されたユーザ満足度を関連付けて前記フレーズデータ記憶部に記憶させるフレーズ学習部と、を備えたことを特徴とする。
【００１２】
本発明に係るユーザ状態測定装置において、前記フレーズ学習部は、前記コンテンツ要求の前後で前記音声認識されたフレーズの差を検出し、前記コンテンツ要求の後で追加されたフレーズのみを前記フレーズデータ記憶部に記憶させる、ことを特徴とする。
【００１３】
本発明に係るユーザ状態測定装置においては、ユーザの音声特徴量データを記憶する音声特徴量記憶部と、前記音声特徴量記憶部の音声特徴量データに基づいて、前記入力された音声信号から前記音声認識部へ供給する音声信号を抽出するユーザ音声抽出部と、を備えたことを特徴とする。
【００１４】
本発明に係る通信端末は、前述のいずれかのユーザ状態測定装置と、前記ユーザ状態測定装置により得られたユーザの許容待ち時間又は満足度に基づいて、コンテンツ要求の再送信を実行させる再要求起動部と、を備えたことを特徴とする。
【００１５】
本発明に係るコンピュータプログラムは、通信端末を使用するユーザの状態を測定するユーザ状態測定処理を行うためのコンピュータプログラムであって、前記通信端末から送信されるコンテンツ要求を検出するステップと、前記通信端末に前記コンテンツ要求を中止させるユーザ操作を検出するステップと、前記コンテンツ要求から前記ユーザ操作までの時間を記録するステップと、前記記録された時間に基づいて、コンテンツ要求に対するユーザの許容待ち時間を推定するステップと、をコンピュータに実行させるためのコンピュータプログラムであることを特徴とする。
これにより、前述のユーザ状態測定装置がコンピュータを利用して実現できるようになる。
【発明の効果】
【００１６】
本発明によれば、通信を利用したコンテンツ要求に対するユーザの満足度向上に寄与することができるという効果が得られる。
【図面の簡単な説明】
【００１７】
【図１】本発明の一実施形態に係る通信端末１の構成を示すブロック図である。
【図２】コンテンツ要求から該応答までにかかる遅延時間（ユーザの待ち時間）の例を概念的に示した説明図である。
【図３】コンテンツ要求後のユーザの状態の変化を概念的に示した説明図である。
【図４】本発明に係る通信端末１の実施例１である。
【図５】図４に示す記録部２６の記録構成例を示す図である。
【図６】本発明に係る通信端末１の実施例２である。
【図７】図６に示すフレーズデータ記憶部６０の記憶構成例を示す図である。
【発明を実施するための形態】
【００１８】
以下、図面を参照し、本発明の実施形態について説明する。
図１は、本発明の一実施形態に係る通信端末１の構成を示すブロック図である。図１において、通信端末１は、通信部１０とアプリケーション部１２とユーザ状態測定部１４と操作部１６と表示部１８を有する。
【００１９】
通信部１０は、通信ネットワーク２を介してコンテンツサーバ３とデータを送受する。ここで、通信ネットワーク２は、例えばインターネットと、通信端末１が直接的に接続するアクセスネットワークとから構成される。なお、アクセスネットワークは、有線ネットワークであってもよく、又は、無線ネットワークであってもよい。例えば、通信端末１は移動通信ネットワークの移動端末であり、通信部１０は移動通信ネットワークの基地局に接続して通信を行う。
【００２０】
アプリケーション部１２は、通信によりコンテンツサーバ３へコンテンツを要求し、ユーザがコンテンツを利用できるようにする。例えば、コンテンツサーバ３は、乗り換え案内サービスを提供したり、又は、天気予報サービスを提供したりする。又は、コンテンツサーバ３は、楽曲や動画などのコンテンツのダウンロードサービスを提供する。
【００２１】
ユーザ状態測定部１４は、コンテンツ要求におけるユーザの状態を測定する。操作部１６は、ユーザが操作する入力デバイスを有し、ユーザによる入力デバイスの操作により入力データを得る。表示部１８は、液晶表示デバイスなどの表示デバイスを有し、入力データやコンテンツなどの画面データを表示する。
【００２２】
図２は、コンテンツ要求から該応答までにかかる遅延時間（ユーザの待ち時間）の例を概念的に示した説明図である。この例は、通信端末１が移動端末である場合に、コンテンツサーバ３から画像をダウンロードするものである。図２において、ユーザが特定のコンテンツを利用する操作（例えば、Ｗｅｂブラウザに特定のＵＲＬ（Uniform Resource Locator）を入力）を行うと（ステップＳ１）、通信端末１は、無線認証及び暗号化の処理を行ってから、コンテンツサーバ３との認証及び検索の処理を行い、この後、コンテンツサーバ３に対するコンテンツ要求を送信する（ステップＳ２）。このとき、通信端末１は、ユーザに対するメッセージ「お待ちください」を表示部１８の表示画面に表示し、コンテンツ要求中であることをユーザに報知する。
【００２３】
次いで、コンテンツサーバ３からのダウンロードが開始されると（ステップＳ３）、通信端末１は、表示部１８の表示画面上に、ダウンロードされている画像を表示し始める（ステップＳ３）。その後、コンテンツサーバ３からのダウンロードが完了すると（ステップＳ４）、通信端末１の表示部１８の表示画面上ではダウンロードされた画像の表示が完了する（ステップＳ４）。
【００２４】
上記図２の例では、ユーザの待ち時間は、認証、暗号鍵交換及び検索にかかる時間と、コンテンツのダウンロードにかかる時間とから成る。コンテンツのダウンロードにかかる時間はコンテンツのデータサイズとスループットに依存するが、コンテンツのデータサイズが小さくても、認証、暗号鍵交換及び検索には一定の時間がかかる。又、認証、暗号鍵交換及び検索では、１つのパケットがロスしただけで通常よりもかなり長い時間を要することがある。
【００２５】
図３は、コンテンツ要求後のユーザの状態の変化を概念的に示した説明図である。コンテンツ要求後、コンテンツ利用可能となるまでに待たされる時間が長くなるほど、ユーザはイライラし最終的には怒りへと変わり、ユーザの満足度は次第に減少してゆくと考えられる。このときのユーザの行動として、コンテンツ要求後にある程度の時間（この時間には個人差やコンテンツ種別差があると考えられる）が経過すると、一旦、コンテンツ要求を中止させ、再度、コンテンツ要求を行わせることがよくあると考えられる。このとき、ユーザがコンテンツ再要求の操作を行う回数が増えるほど、ユーザのイライラ度は増すことになるので、ユーザにはできる限りコンテンツ再要求の操作を行わせないようにすることが、ユーザの満足度向上のために好ましい。
【００２６】
次に、本実施形態に係る通信端末１の実施例を説明する。
【実施例１】
【００２７】
図４は、本実施形態に係る通信端末１の実施例１である。図４において、図１の通信端末１の各部に対応する部分には同一の符号を付している。図４に示す実施例１の通信端末１において、ユーザ状態測定部１４は、要求検出部２０と中止検出部２２と完了検出部２４と記録部２６と許容待ち時間推定部２８を有する。アプリケーション部１２は、再要求起動部４０を有する。
【００２８】
要求検出部２０は、通信端末１から送信されるコンテンツ要求を検出する。このとき、要求検出部２０は、コンテンツ要求先の情報（要求先情報）とコンテンツ要求の時刻（要求時刻）を検出する。要求先情報にはＵＲＬを利用することができる。要求時刻にはコンテンツ要求の検出時刻を利用することができる。又、要求検出部２０は、要求先情報に基づいてコンテンツ種別を取得する。
【００２９】
中止検出部２２は、通信端末１にコンテンツ要求を中止させるユーザ操作を検出する。ユーザは、コンテンツ要求を中止させるために、操作部１６に対して特定の操作を行う。中止検出部２２は該特定の操作を検出する。このとき、中止検出部２２は、中止させるコンテンツ要求に係る要求先情報とコンテンツ要求の中止時刻を検出する。中止時刻にはコンテンツ要求を中止させるユーザ操作の検出時刻を利用することができる。
【００３０】
完了検出部２４は、コンテンツ要求の完了を検出する。このとき、要求検出部２０は、完了したコンテンツ要求に係る要求先情報とコンテンツ要求の完了時刻を検出する。完了時刻にはコンテンツ要求の完了の検出時刻を利用することができる。
【００３１】
記録部２６は、要求検出部２０、中止検出部２２及び完了検出部２４によって取得された情報を記録する。図５は、記録部２６の記録構成例を示す図である。図５において、記録部２６は、コンテンツ要求から該コンテンツ要求を中止させるユーザ操作までの時間（中止経過時間）を記録する。図５の例では、一のコンテンツ要求に関し、要求時刻と中止時刻を関連付けて記録する。これにより、コンテンツ要求から該コンテンツ要求を中止させるユーザ操作までの時間が特定される。
【００３２】
又、記録部２６は、コンテンツ要求から該コンテンツ要求の完了までの時間（完了経過時間）を記録する。図５の例では、一のコンテンツ要求に関し、要求時刻と完了時刻を関連付けて記録する。これにより、コンテンツ要求から該コンテンツ要求の完了までの時間が特定される。
【００３３】
又、記録部２６は、同じコンテンツ要求先のコンテンツ要求に係る一定時間内に発生する複数の中止経過時間を関連付けて記録する。図５の例では、同じ要求先情報に係る一定時間内に発生する要求時刻と中止時刻の複数組に対して、同じアクセスＩＤが付されている。
【００３４】
又、記録部２６は、同じコンテンツ種別のコンテンツ要求に係る一定時間内に発生する複数の中止経過時間を関連付けて記録する。図５の例では、同じコンテンツ種別に係る一定時間内に発生する要求時刻と中止時刻の複数組に対して、同じアクセスＩＤが付されている。
【００３５】
なお、同じコンテンツ要求先又は同じコンテンツ種別のコンテンツ要求に係る複数の中止経過時間を関連付ける対象を一定時間内に発生したものに限定するのは、コンテンツ要求に係る一連の事象（図３に示すように、ユーザが待ちきれずにコンテンツ要求の中止に引き続き再要求を繰り返す事象であって、ユーザの状態（満足度）の変化が顕著に現れる事象）と、そうでない事象とを区別するためである。
【００３６】
又、記録部２６は、同じコンテンツ要求先のコンテンツ要求に係る一定時間内に発生する中止経過時間と完了経過時間を関連付けて記録する。図５の例では、同じ要求先情報に係る一定時間内に発生する要求時刻と中止時刻の組と要求時刻と完了時刻の組とに対して、同じアクセスＩＤが付されている。
【００３７】
又、記録部２６は、同じコンテンツ種別のコンテンツ要求に係る一定時間内に発生する中止経過時間と完了経過時間を関連付けて記録する。図５の例では、同じコンテンツ種別に係る一定時間内に発生する要求時刻と中止時刻の組と要求時刻と完了時刻の組とに対して、同じアクセスＩＤが付されている。
【００３８】
なお、同じコンテンツ要求先又は同じコンテンツ種別のコンテンツ要求に係る中止経過時間と完了経過時間を関連付ける対象を一定時間内に発生したものに限定するのは、コンテンツ要求に係る一連の事象と、そうでない事象とを区別するためである。
【００３９】
許容待ち時間推定部２８は、記録部２６に記録された時間に基づいて、コンテンツ要求に対するユーザの許容待ち時間を推定する。許容待ち時間は、コンテンツ要求後にユーザがどのくらいの時間待つことができるのかを表す。許容待ち時間の推定には、中止経過時間のみを使用してもよく、又は、中止経過時間と完了経過時間の両方を使用してもよい。許容待ち時間の推定方法としては、平均時間や標準偏差等の統計的手法を用いることが挙げられる。又、コンテンツ要求先毎に許容待ち時間を推定してもよい。又、コンテンツ種別毎に許容待ち時間を推定してもよい。例えば、電車の乗り換え案内の場合、ユーザは急いでいることが多いと想定でき、ユーザの待つことのできる時間は比較的短いと考えられる。一方、天気予報の場合、ユーザはそれほど急いでいないと想定でき、ユーザの待つことのできる時間は比較的長いと考えられる。
【００４０】
再要求起動部４０は、許容待ち時間推定部２８により得られたユーザの許容待ち時間に基づいて、コンテンツ要求の再送信を実行させる。具体的には、再要求起動部４０は、コンテンツ要求時点から許容待ち時間が経過する前（例えば、許容待ち時間の９割経過時点）に、コンテンツ要求の中止及び再送信を該当アプリケーションに対して要求する。このとき、コンテンツ要求先毎、又は、コンテンツ種別毎に、許容待ち時間を使い分ける。
【００４１】
これにより、ユーザが待ちきれずにコンテンツ要求の中止及び再要求を行う前に、自動的にコンテンツ要求の中止及び再送信を行うことができる。この結果、ユーザがコンテンツ再要求の操作を行う回数を低減させることができるので、ユーザの満足度向上につながることが期待できる。又、コンテンツ要求先毎、又は、コンテンツ種別毎に、許容待ち時間を使い分けることで、コンテンツ要求の中止及び再送信を自動的に行う成功率を上げることが可能になる。
【００４２】
なお、ユーザの許容待ち時間を通信端末１の位置の情報と関連付けるようにしてもよい。これにより、通信端末１の位置に対する電波の特性との関連付けや、家や駅などのユーザの居場所における個人の感じ方の特性との関連付けとして、ユーザの許容待ち時間を利用することができる。
【実施例２】
【００４３】
図６は、本実施形態に係る通信端末１の実施例２である。図６において、図４の通信端末１の各部に対応する部分には同一の符号を付している。図６に示す実施例２の通信端末１において、ユーザ状態測定部１４は、図４の実施例１のユーザ状態測定部１４に対し、マイクロホン５０とユーザ音声抽出部５２と声紋記憶部５４と音声認識部５６とユーザ満足度取得部５８とフレーズデータ記憶部６０と満足度入力部６２とフレーズ学習部６４を設ける。
【００４４】
マイクロホン５０は、通信端末１を使用するユーザの音声を入力するために設けられる。ユーザ音声抽出部５２は、声紋記憶部５４の声紋データに基づいて、マイクロホン５０で入力された音声信号から音声認識部５６へ供給する音声信号を抽出する。声紋記憶部５４には、通信端末１を使用するユーザの声紋データが事前に格納される。声紋一致検出を行うことによって、マイクロホン５０から入力される音声信号に通信端末１のユーザ以外の人の音声が含まれていても、通信端末１のユーザが発声した音声信号から音声認識することができるようになる。なお、声紋以外の音声特徴量を用いて、通信端末１のユーザが発声した音声信号を抽出するようにしてもよい。
【００４５】
音声認識部５６は、ユーザ音声抽出部５２で選択された、マイクロホン５０で入力された音声信号を音声認識する。ユーザ満足度取得部５８は、音声認識部５６で音声認識されたフレーズに対応するユーザ満足度をフレーズデータ記憶部６０から読み出す。フレーズデータ記憶部６０は、特定のフレーズに対するユーザ満足度を記憶する。図７に、フレーズデータ記憶部６０の記憶構成例を示す。図７に示されるように、フレーズデータ記憶部６０は、フレーズ毎に満足度（この例では１００点満点としている）を記憶する。
【００４６】
満足度入力部６２は、ユーザ満足度を入力する。具体的には、満足度入力部６２は、満足度入力用の操作部分を操作部１６に固定的又は一時的に設け、コンテンツ要求の中止後又は完了後にユーザからの満足度入力を促す表示を表示部１８の表示画面上に行い、ユーザからの満足度入力を待つ。
【００４７】
フレーズ学習部６４は、音声認識部５６で音声認識されたフレーズと満足度入力部６２で入力されたユーザ満足度とを関連付けて、フレーズデータ記憶部６０に記憶させる。このとき、フレーズ学習部６４は、コンテンツ要求の前後で音声認識されたフレーズの差を検出し、コンテンツ要求の後で追加されたフレーズのみをフレーズデータ記憶部６０に記憶させる。これは、コンテンツ要求の後で追加されたフレーズのみが当該コンテンツ要求に係るユーザの状態（満足度）を顕著に表すと考えられるからである。
【００４８】
なお、フレーズデータ記憶部６０には、ユーザ自身がフレーズを登録したり、特定のフレーズに対応する満足度を設定したりすることができるようにしてもよい。
また、フレーズ学習部６４は、個人や地域などに特有のフレーズ（例えば、方言など）に基づいて、フレーズと満足度の組をフレーズデータ記憶部６０に記憶させるようにしてもよい。
【００４９】
再要求起動部４０は、ユーザ満足度取得部５８により得られたユーザの満足度に基づいて、コンテンツ要求の再送信を実行させる。具体的には、再要求起動部４０は、コンテンツ要求後に得られたユーザの満足度が下限値に満たない場合に、コンテンツ要求の中止及び再送信を該当アプリケーションに対して要求する。
【００５０】
なお、再要求起動部４０が、許容待ち時間推定部２８により得られたユーザの許容待ち時間とユーザ満足度取得部５８により得られたユーザの満足度との両方に基づいて、コンテンツ要求の再送信を実行させるようにしてもよい。例えば、再要求起動部４０は、コンテンツ要求時点から許容待ち時間が経過する前（例えば、許容待ち時間の９割経過時点）、又は、コンテンツ要求後に得られたユーザの満足度が下限値に満たない時に、コンテンツ要求の中止及び再送信を該当アプリケーションに対して要求する。
【００５１】
以上、本発明の実施形態について図面を参照して詳述してきたが、具体的な構成はこの実施形態に限られるものではなく、本発明の要旨を逸脱しない範囲の設計変更等も含まれる。
例えば、通信端末１が移動端末である場合、無線使用状況を認識し、複数の無線システムを同時に使用することにより周波数利用効率を向上させるコグニティブ無線システムに応用可能である。
【００５２】
また、図４又は図６に示すユーザ状態測定部１４が行う各ステップを実現するためのプログラムをコンピュータ読み取り可能な記録媒体に記録して、この記録媒体に記録されたプログラムをコンピュータシステムに読み込ませ、実行することにより、ユーザ状態測定処理を行ってもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【００５３】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００５４】
１…通信端末、１０…通信部、１２…アプリケーション部、１４…ユーザ状態測定部、１６…操作部、１８…表示部、２０…要求検出部、２２…中止検出部、２４…完了検出部、２６…記録部、２８…許容待ち時間推定部、５０…マイクロホン、５２…ユーザ音声抽出部、５４…声紋記憶部、５６…音声認識部、５８…ユーザ満足度取得部、６０…フレーズデータ記憶部、６２…満足度入力部、６４…フレーズ学習部
【図１】
2011091620.tif 000003
【図２】
2011091620.tif 000004
【図３】
2011091620.tif 000005
【図４】
2011091620.tif 000006
【図５】
2011091620.tif 000007
【図６】
2011091620.tif 000008
【図７】
2011091620.tif 000009